(57)【要約】【課題】インターネット上で販売される商品を供給する供給元が、自社商品のイメージを管理できるサーバ装置、情報提供方法、および、サーバ装置用のプログラムを提供する。【解決手段】サーバ装置（１０）は、商品を店舗に供給する供給元の商品供給元サーバ装置（２５）とネットワーク３を介して接続されており、総合ウェブサイト上の特定の店舗に関するウェブページにおいて特定の店舗で販売する商品の商品情報を配置するためのデザインフォーマット（７５）の情報と、デザインフォーマットに従い配置される商品に関する商品識別コードとを、商品供給元サーバ装置から受信し（Ｓ１０）、受信した商品識別コードの商品の商品情報を取得し（Ｓ１３）、取得した商品情報をデザインフォーマットに従い所定の場所に配置し（Ｓ１４）、商品情報が配置されたデザインフォーマットの情報を端末装置（３０）に送信する（Ｓ１５）。【選択図】図４
2011150570.tif 000002
【特許請求の範囲】
【請求項１】
ユーザに商品をネットワーク上で販売する店舗が取り扱う商品に関する商品情報を、ユーザの端末装置に提供する総合ウェブサイトを構成するサーバ装置であって、当該サーバ装置は、商品を店舗に供給する供給元の商品供給元サーバ装置と前記ネットワークを介して接続されており、
前記総合ウェブサイト上の特定の店舗に関するウェブページにおいて前記特定の店舗で販売する商品の商品情報を配置するためのデザインフォーマットの情報と、前記デザインフォーマットに従い配置される商品に関する商品識別コードとを、前記商品供給元サーバ装置から受信する受信手段と、
前記受信した商品識別コードの商品の商品情報を取得する商品情報取得手段と、
前記取得された商品情報を、前記デザインフォーマットに従い所定の場所に配置する商品情報配置手段と、
前記商品情報が配置されたデザインフォーマットの情報を前記端末装置に送信する送信手段と、
を備えることを特徴とするサーバ装置。
【請求項２】
請求項１に記載のサーバ装置において、
店舗毎における商品の在庫に関する在庫情報が格納されている在庫情報格納手段と、
前記端末装置からの求めに応じ、前記端末装置で指定された店舗について、前記受信手段で受信した商品識別コードを、前記在庫情報格納手段に格納されている在庫情報と照合して、前記商品識別コードに対応する商品の在庫の有無を判定する在庫状況判定手段を更に備え、
前記商品情報取得手段が、前記在庫ありと判定された商品の商品情報を前記商品情報格納手段から取得し、前記商品情報配置手段が、前記在庫状況判定手段の結果に基づき商品情報を配置することを特徴とするサーバ装置。
【請求項３】
請求項１または請求項２に記載のサーバ装置において、
前記受信手段が、前記デザインフォーマットに従い配置する広告情報を前記商品供給元サーバ装置から受信し、
前記商品情報配置手段が、前記広告情報を、前記デザインフォーマットに従い配置することを特徴とするサーバ装置。
【請求項４】
請求項１から請求項３のいずれか１項に記載のサーバ装置において、
前記商品情報配置手段が、前記デザインフォーマットで予め指定された場所に前記商品情報を配置する特徴とするサーバ装置。
【請求項５】
請求項１から請求項４のいずれか１項に記載のサーバ装置において、
前記商品情報取得手段は、商品名および商品の画像の情報を前記商品情報として取得し、
前記商品情報配置手段が、前記デザインフォーマットに従い、少なくとも各商品の商品名および商品の画像を配置することを特徴とするサーバ装置。
【請求項６】
請求項１から請求項５のいずれか１項に記載のサーバ装置において、
前記デザインフォーマットに従って商品情報を表示するウェブページへリンクさせる専用リンク情報を、前記総合ウェブサイトの所定のウェブページにおける所定の位置に配置する専用リンク配置手段を更に備えたことを特徴とするサーバ装置。
【請求項７】
請求項６に記載のサーバ装置において、
前記専用リンク配置手段が、前記商品情報に基づき、前記総合ウェブサイトの所定のウェブページにおける特定の位置に前記専用リンク情報を配置することを特徴とするサーバ装置。
【請求項８】
請求項１から請求項７のいずれか１項に記載のサーバ装置において、
前記特定の店舗で商品が購入された場合に、商品の購入を申し込むウェブページのリンク元のウェブページを特定するリンク特定手段と、
前記リンク元のウェブページが、前記特定の店舗のウェブページで、かつ、前記購入された商品の商品情報を前記デザインフォーマットに従い配置したウェブページである場合に、前記特定の店舗に対する報酬を算出する報酬算出手段と、
を更に備えたことを特徴とするサーバ装置。
【請求項９】
請求項１から請求項８のいずれか１項に記載のサーバ装置において、
店舗毎に、そこの店舗で扱っている商品の商品情報が格納されている商品情報格納手段を更に備え、
前記商品情報取得手段は、前記受信した商品識別コードの商品の商品情報を、前記商品情報格納手段から取得することを特徴とするサーバ装置。
【請求項１０】
ユーザに商品をネットワーク上で販売する店舗が取り扱う商品に関する商品情報を、ユーザの端末装置に提供する総合ウェブサイトを構成するサーバ装置であって、当該サーバ装置は、商品を店舗に供給する供給元の商品供給元サーバ装置と前記ネットワークを介して接続されており、
前記総合ウェブサイト上の特定の店舗に関するウェブページにおいて前記特定の店舗で販売する商品の商品情報を配置するためのデザインフォーマットの情報と、前記デザインフォーマットに従い配置される商品に関する商品識別コードとを、前記商品供給元サーバ装置から受信する受信ステップと、
前記受信した商品識別コードの商品の商品情報を取得する商品情報取得ステップと、
前記取得された商品情報を、前記デザインフォーマットに従い所定の場所に配置する商品情報配置ステップと、
前記商品情報が配置されたデザインフォーマットの情報を前記端末装置に送信する送信ステップと、
を有することを特徴とする情報提供方法。
【請求項１１】
ユーザに商品をネットワーク上で販売する店舗が取り扱う商品に関する商品情報を、ユーザの端末装置に提供する総合ウェブサイトを構成するサーバ装置であって、当該サーバ装置は、商品を店舗に供給する供給元の商品供給元サーバ装置と前記ネットワークを介して接続されており、
コンピュータを、
前記総合ウェブサイト上の特定の店舗に関するウェブページにおいて前記特定の店舗で販売する商品の商品情報を配置するためのデザインフォーマットの情報と、前記デザインフォーマットに従い配置される商品に関する商品識別コードとを、前記商品供給元サーバ装置から受信する受信手段、
前記受信した商品識別コードの商品の商品情報を取得する商品情報取得手段、
前記取得された商品情報を、前記デザインフォーマットに従い所定の場所に配置する商品情報配置手段、および、
前記商品情報が配置されたデザインフォーマットの情報を前記端末装置に送信する送信手段として機能させることを特徴とするサーバ装置用のプログラム。
【発明の詳細な説明】
【技術分野】
【０００１】
本発明は、インターネット上で多くの店舗が出店するショッピングモールを提供する情報提供システムの技術分野に関する。
【背景技術】
【０００２】
近年、インターネット上で多くの店舗が出店するショッピングモールを提供するサイト（以下、「ショッピングモールサイト」という）が知られている。かかるショッピングモールのユーザ（利用者）は、ショッピングモールサイトからユーザ端末に提供されたＷｅｂページを通じて、ショッピングモールへの出店者により提供された商品の中から所望の商品を選択し、注文手続きを経て選択した商品を購入できるようになっている。このようなショッピングモールに関する技術として、例えば、特許文献１には、簡単にまた低価格で出店でき且つユーザが簡単にショッピングができる検索システムが提案されている。
【先行技術文献】
【特許文献】
【０００３】
【特許文献１】特開２００２−２３６６９４号公報
【発明の概要】
【発明が解決しようとする課題】
【０００４】
しかしながら、例えば特許文献１では、ウェブページに掲載する商品の画像や商品の説明の配置は、ショッピングモールサイト側やショッピングモールサイトに出店している店舗側が商品属性毎に単に並べて行っていたため、ショッピングモールサイトで販売される商品を供給するメーカー等が意図する商品イメージ等を管理することが難しかった。特に、シリーズで販売する製品の場合等、商品の供給元側でブランドイメージを思うようにアピールすることができなかった。
【０００５】
本発明は、このような問題に鑑みてなされたものであり、その課題の一例は、インターネット上で販売される商品を供給する供給元が、自社商品のイメージを管理できるサーバ装置、情報提供方法、および、サーバ装置用のプログラムを提供することを目的とする。
【課題を解決するための手段】
【０００６】
上記課題を解決するために、請求項１に記載の発明は、ユーザに商品をネットワーク上で販売する店舗が取り扱う商品に関する商品情報を、ユーザの端末装置に提供する総合ウェブサイトを構成するサーバ装置であって、当該サーバ装置は、商品を店舗に供給する供給元の商品供給元サーバ装置と前記ネットワークを介して接続されており、前記総合ウェブサイト上の特定の店舗に関するウェブページにおいて前記特定の店舗で販売する商品の商品情報を配置するためのデザインフォーマットの情報と、前記デザインフォーマットに従い配置される商品に関する商品識別コードとを、前記商品供給元サーバ装置から受信する受信手段と、前記受信した商品識別コードの商品の商品情報を取得する商品情報取得手段と、前記取得された商品情報を、前記デザインフォーマットに従い所定の場所に配置する商品情報配置手段と、前記商品情報が配置されたデザインフォーマットの情報を前記端末装置に送信する送信手段と、を備えることを特徴とする。
【０００７】
請求項２に記載の発明は、請求項１に記載のサーバ装置において、店舗毎における商品の在庫に関する在庫情報が格納されている在庫情報格納手段と、前記端末装置からの求めに応じ、前記端末装置で指定された店舗について、前記受信手段で受信した商品識別コードを、前記在庫情報格納手段に格納されている在庫情報と照合して、前記商品識別コードに対応する商品の在庫の有無を判定する在庫状況判定手段を更に備え、前記商品情報取得手段が、前記在庫ありと判定された商品の商品情報を前記商品情報格納手段から取得し、前記商品情報配置手段が、前記在庫状況判定手段の結果に基づき商品情報を配置することを特徴とする。
【０００８】
請求項３に記載の発明は、請求項１または請求項２に記載のサーバ装置において、前記受信手段が、前記デザインフォーマットに従い配置する広告情報を前記商品供給元サーバ装置から受信し、前記商品情報配置手段が、前記広告情報を、前記デザインフォーマットに従い配置することを特徴とする。
【０００９】
請求項４に記載の発明は、請求項１から請求項３のいずれか１項に記載のサーバ装置において、前記商品情報配置手段が、前記デザインフォーマットで予め指定された場所に前記商品情報を配置することを特徴とする。
【００１０】
請求項５に記載の発明は、請求項１から請求項４のいずれか１項に記載のサーバ装置において、前記商品情報取得手段は、商品名および商品の画像の情報を前記商品情報として取得し、前記商品情報配置手段が、前記デザインフォーマットに従い、少なくとも各商品の商品名および商品の画像を配置することを特徴とする。
【００１１】
請求項６に記載の発明は、請求項１から請求項５のいずれか１項に記載のサーバ装置において、前記デザインフォーマットに従って商品情報を表示するウェブページへリンクさせる専用リンク情報を、前記総合ウェブサイトの所定のウェブページにおける所定の位置に配置する専用リンク配置手段を更に備えたことを特徴とする。
【００１２】
請求項７に記載の発明は、請求項６に記載のサーバ装置において、前記専用リンク配置手段が、前記商品情報に基づき、前記総合ウェブサイトの所定のウェブページにおける特定の位置に前記専用リンク情報を配置することを特徴とする。
【００１３】
請求項８に記載の発明は、請求項１から請求項７のいずれか１項に記載のサーバ装置において、前記特定の店舗で商品が購入された場合に、商品の購入を申し込むウェブページのリンク元のウェブページを特定するリンク特定手段と、前記リンク元のウェブページが、前記特定の店舗のウェブページで、かつ、前記購入された商品の商品情報を前記デザインフォーマットに従い配置したウェブページである場合に、前記特定の店舗に対する報酬を算出する報酬算出手段と、を更に備えたことを特徴とする。
【００１４】
請求項９に記載の発明は、請求項１から請求項８のいずれか１項に記載のサーバ装置において、店舗毎に、そこの店舗で扱っている商品の商品情報が格納されている商品情報格納手段を更に備え、前記商品情報取得手段は、前記受信した商品識別コードの商品の商品情報を、前記商品情報格納手段から取得することを特徴とする。
【００１５】
請求項１０に記載の発明は、ユーザに商品をネットワーク上で販売する店舗が取り扱う商品に関する商品情報を、ユーザの端末装置に提供する総合ウェブサイトを構成するサーバ装置であって、当該サーバ装置は、商品を店舗に供給する供給元の商品供給元サーバ装置と前記ネットワークを介して接続されており、前記総合ウェブサイト上の特定の店舗に関するウェブページにおいて前記特定の店舗で販売する商品の商品情報を配置するためのデザインフォーマットの情報と、前記デザインフォーマットに従い配置される商品に関する商品識別コードとを、前記商品供給元サーバ装置から受信する受信ステップと、前記受信した商品識別コードの商品の商品情報を取得する商品情報取得ステップと、前記取得された商品情報を、前記デザインフォーマットに従い所定の場所に配置する商品情報配置ステップと、前記商品情報が配置されたデザインフォーマットの情報を前記端末装置に送信する送信ステップと、を有することを特徴とする。
【００１６】
請求項１１に記載の発明は、ユーザに商品をネットワーク上で販売する店舗が取り扱う商品に関する商品情報を、ユーザの端末装置に提供する総合ウェブサイトを構成するサーバ装置であって、当該サーバ装置は、商品を店舗に供給する供給元の商品供給元サーバ装置と前記ネットワークを介して接続されており、コンピュータを、前記総合ウェブサイト上の特定の店舗に関するウェブページにおいて前記特定の店舗で販売する商品の商品情報を配置するためのデザインフォーマットの情報と、前記デザインフォーマットに従い配置される商品に関する商品識別コードとを、前記商品供給元サーバ装置から受信する受信手段、前記受信した商品識別コードの商品の商品情報を取得する商品情報取得手段、前記取得された商品情報を、前記デザインフォーマットに従い所定の場所に配置する商品情報配置手段、および、前記商品情報が配置されたデザインフォーマットの情報を前記端末装置に送信する送信手段として機能させることを特徴とする。
【発明の効果】
【００１７】
本発明によれば、総合ウェブサイト上の特定の店舗に関するウェブページにおいて特定の店舗で販売する商品の商品情報を配置するためのデザインフォーマットの情報と、デザインフォーマットに従い配置される商品に関する商品識別コードとを、商品を店舗に供給する供給元の商品供給元サーバ装置から受信し、受信した商品識別コードに対応する商品の商品情報を、デザインフォーマットに従い所定の場所に配置し、商品情報が配置されたデザインフォーマットの情報を端末装置に送信するように構成したので、供給元が、自社商品のイメージを管理できる。
【図面の簡単な説明】
【００１８】
【図１】本発明の一実施形態に係る実施形態の情報提供システムの概要構成例を示す模式図である。
【図２】図１のネットスーパーサーバの概要構成の一例を示すブロック図である。
【図３】図１のネットスーパーサーバおよび店舗サーバ間における情報のやり取りの一例を示すシーケンス図である。
【図４】図１のネットスーパーサーバ、商品供給元サーバ、および、ユーザ端末間における情報のやり取りの一例を示すシーケンス図である。
【図５】図１のユーザ端末に表示されるショッピングモールサイトのトップウェブページの一例を示す模式図である。
【図６】図１のユーザ端末に表示されるショッピングモールサイトの特定店舗におけるトップウェブページの一例を示す模式図である。
【図７】デザインフォーマットにより商品情報が表示されたウェブページの一例を示す模式図である。
【図８】ユーザにより選択された商品に関して詳細な情報が表示されたウェブページの一例を示す模式図である。
【図９】図１のネットスーパーサーバによる店舗に対する報酬算出の動作例を示すフローチャートである。
【図１０】デザインフォーマットにより商品情報が表示されたウェブページの一例を示す模式図である。
【図１１】専用リンク情報が配置されたウェブページの一例を示す模式図である。
【図１２】専用リンク情報が配置されたウェブページの一例を示す模式図である。
【発明を実施するための形態】
【００１９】
以下、図面を参照して本発明の実施形態について説明する。なお、以下に説明する実施の形態は、情報提供システムに対して本発明を適用した場合の実施形態である。
【００２０】
［１．情報提供システムの構成および機能概要］
【００２１】
まず、本発明の一実施形態に係る情報提供システムの構成および概要機能について、図１を用いて説明する。
【００２２】
図１は、本実施形態に係る情報提供システム１の概要構成例を示す模式図である。
【００２３】
図１に示すように、情報提供システム１は、ネットスーパーサーバ１０（サーバ装置の一例）と、店舗サーバ２０と、商品メーカーサーバ２５（商品供給元サーバ装置の一例）と、ユーザ端末３０（端末装置の一例）と、を含んで構成されている。
【００２４】
ネットスーパーサーバ１０、店舗サーバ２０、商品メーカーサーバ２５、および、ユーザ端末３０は、ネットワーク３を介して、例えば、通信プロトコルにＴＣＰ／ＩＰ等を用いて相互にデータの送受信が可能になっている。なお、ネットワーク３は、例えば、インターネット、専用通信回線（例えば、ＣＡＴＶ（Community Antenna Television）回線）、移動体通信網（基地局等を含む）、およびゲートウェイ等により構築されている。
【００２５】
ネットスーパーサーバ１０は、ショッピングモールサイト（総合ウェブサイトの一例）を運営するために設置されたサーバ（ウェブサーバ、データベースサーバ等）であり、ユーザに商品をネットワーク上で販売する店舗が取り扱う商品に関する商品情報を、ユーザの端末装置に提供する総合ウェブサイトを構成する。そして、ネットスーパーサーバ１０は、ショッピングモールサイトからユーザ端末３０等に提供するサイト情報（例えば、各種画面のウェブページおよびウェブページ上に組み込まれる画像等のデータ）や、商品メーカー等が供給する商品の商品情報をウェブページ上に配置するためのデザインフォーマットの情報や、各店舗における在庫情報等を記憶する。
【００２６】
ここで、デザインフォーマットは、例えば、ＨＴＭＬ（HyperText Markup Language）やＸＭＬ（Extensible Markup Language）のマークアップ言語より記述されたファイルにより構成され、ショッピングモールサイトの特定の店舗のウェブページにおいて、自社の商品や広告等をどのように展示するかのデザイン（例えば、色、模様、ロゴ等）を規定するためのフォーマットである。このデザインフォーマットは、実店舗において実商品を陳列する商品メーカー専用の陳列棚（専用棚）の陳列の仕方のようなものである。
【００２７】
店舗サーバ２０は、ショッピングモールへの出店者（例えばスーパーマーケットを経営する流通業者）のサーバ（ウェブサーバ、データベースサーバ等）であり、出店者毎に存在する。各出店者は、流通業のグループ企業として複数の実店舗を有する場合もあるし、ネットスーパー専門業者で、倉庫のみ有する場合もある。店舗サーバ２０は、各実店舗や倉庫等から集めた在庫情報をネットスーパーサーバ１０に送信する。
【００２８】
商品メーカーサーバ２５は、商品を製造するメーカーや、農産物等の商品を生産する生産者のサーバであり、インターネット上の店舗で販売してもらいたい商品に関する情報や、その商品情報をどのようにウェブページ上で表示させるかを指定するためのデザインフォーマットの情報等をネットスーパーサーバ１０に送信する。なお、メーカーや生産者は、店舗等からの注文を受け付け、各店舗に商品を供給する。
【００２９】
ユーザ端末３０は、ウェブブラウザ機能を有し、ネットスーパーサーバ１０等に例えばＨＴＴＰ（Hyper Text Transfer Protocol）リクエストを送信してそのレスポンスとしてウェブページ等を取得し、表示部３１上に表示するようになっている。ユーザ端末３０のユーザは、ショッピングモールサイトや出店者サイト等から提供される情報提供サービスを利用することができる。なお、ユーザ端末３０には、例えば、パーソナルコンピュータ、ＰＤＡ（Personal Digital Assistant）、携帯電話機等が適用可能である。また、表示部３１は、ＣＲＴ（Cathode Ray Tube）、液晶表示素子またはＥＬ（Electro Luminescence）素子等によって構成されている。
【００３０】
［２．ネットスーパーサーバ１０の構成および機能］
次に、ネットスーパーサーバ１０の構成および機能について、図２を用いて説明する。
【００３１】
図２は、本実施形態に係るネットスーパーサーバ１０の概要構成の一例を示すブロック図である。
【００３２】
図２に示すように、ネットスーパーサーバ１０は、通信部１１と、記憶部１２と、入出力インターフェース部１３と、システム制御部１４と、を備えている。そして、システム制御部１４と入出力インターフェース部１３とは、システムバス１５を介して接続されている。
【００３３】
通信部１１は、ネットワーク３に接続して、店舗サーバ２０や商品メーカーサーバ２５やユーザ端末３０との通信状態を制御するようになっている。
【００３４】
記憶部１２は、例えば、ハードディスクドライブ等により構成されており、オペレーティングシステムおよびサーバプログラム等の各種プログラムやＨＴＭＬ等のマークアップ言語等により記述されたウェブページのファイル等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００３５】
また、記憶部１２には、商品データベース（ＤＢ）１２ａ（商品情報格納手段の一例）、在庫データベース（ＤＢ）１２ｂ（在庫情報格納手段の一例）や、会員データベースや店舗データベース（図示せず）等が構築されている。
【００３６】
商品データベース１２ａには、商品識別コードに関連づけられた商品に関する商品名、商品の画像、スペック、および、商品紹介の要約文等の商品情報が格納されている。商品データベース１２ａにはさらに、商品や商品のメーカー等に関する広告情報（例えば、商品や商品のメーカー等を宣伝するための画像、またはキャッチコピー等）等が格納されている。ここで、商品識別コードとして、例えば、国コード、商品コード、商品のメーカーコード、チェックデジットを有するＪＡＮ（Japanese Article Number）コードが挙げられる。このように、ネットスーパーサーバ１０の商品データベース１２ａは、店舗毎に、そこの店舗で扱っている商品の商品情報が格納されている商品情報格納手段の一例として機能する。
【００３７】
在庫データベース１２ｂには、店舗コードに関連づけられ、店舗毎に、商品識別コードに対応する商品の在庫数等の在庫情報が格納されている。このように、ネットスーパーサーバ１０の在庫データベース１２ｂは、店舗毎における商品の在庫に関する在庫情報が格納されている在庫情報格納手段の一例として機能する。なお、商品情報格納手段の一例である商品データベース１２ａと、在庫情報格納手段の一例である在庫データベース１２ｂとは、同じであってもよい。この場合、例えば商品データベース１２ａの各店舗の各商品識別コードに関連づけて、在庫情報を格納する。
【００３８】
会員データベースには、会員登録されたユーザ（ショッピングモールの利用者）のユーザＩＤ、名称、住所、電話番号、メールアドレス、届先名称、届先住所、および、届先電話番号等の属性情報（以下、「ユーザ情報」という）が登録されている。このようなユーザ情報は、ユーザＩＤによってユーザ毎に判別可能になっている。ここで、ユーザＩＤは、ユーザを識別するための識別子である。また、届先は、ショッピングモールで購入した商品の配達先を意味する。また、会員データベースには、ユーザがユーザ端末３０からショッピングモールサイトにログインする際に必要な、ユーザＩＤ、ログインＩＤ、および、パスワードが登録されている。ここで、ログインＩＤおよびパスワードは、ログイン処理（ユーザの認証処理）に使用されるログイン情報である。
【００３９】
店舗データベースには、出店者の店舗ＩＤ、名称、住所、電話番号、店舗商品情報、配達可能地域、および配達可能時間等の店舗情報が登録されている。このような店舗情報は、店舗ＩＤによって出店者毎に判別可能になっている。ここで、店舗ＩＤは、出店者を識別するための識別子である。また、店舗商品情報には、例えば、店舗で取り扱う商品の商品名、価格、スペック、および商品紹介の要約文等の情報が含まれる。また、出店者が複数の店舗（例えば、支店）を出店する場合、店舗データベースには、住所、電話番号、商品情報、配達可能地域、および配達可能時間が店舗毎に区別されて登録される。
【００４０】
次に、入出力インターフェース部１３は、通信部１１および記憶部１２とシステム制御部１４との間のインターフェース処理を行うようになっている。
【００４１】
システム制御部１４は、ＣＰＵ（Central Processing Unit）１４ａ、ＲＯＭ（Read Only Memory）１４ｂ、ＲＡＭ（Random Access Memory）１４ｃ等により構成されている。そして、システム制御部１４は、ＣＰＵ１４ａが、ＲＯＭ１４ｂや記憶部１２に記憶された各種プログラムを読み出し実行することにより、商品情報配置手段、在庫状況判定手段等として機能する。
【００４２】
［３．情報提供システムの動作］
次に、本発明の一実施形態に係る情報提供システム１の動作について図に基づき説明する。
【００４３】
（３．１．在庫情報の格納）
まず、店舗サーバ２０からの在庫情報の取得の流れについて、図３を用いて説明する。
【００４４】
図３は、ネットスーパーサーバ１０および店舗サーバ２０間における情報のやり取りの一例を示すシーケンス図である。
【００４５】
まず、店舗サーバ２０は、ショッピングモールサイト上の店舗で取り扱う商品に関する商品情報を、ネットスーパーサーバ１０に送信する（ステップＳ１）。ネットスーパーサーバ１０は、各店舗サーバ２０から送信された商品情報を、店舗毎に商品データベース１２ａに格納する（ステップＳ４）。
【００４６】
次に、店舗サーバ２０は、各実店舗や各倉庫等において、ネットワーク３等を通して接続された端末から、在庫状況の入力を受け付け、商品毎に在庫情報を集計する。そして図３に示すように、店舗サーバ２０は、在庫情報をネットスーパーサーバ１０に送信する（ステップＳ３）。例えば、ショッピングモールサイトを通して販売する商品と、実際の在庫数のうち、ネット販売する在庫数等の在庫情報をネットスーパーサーバ１０に送信する。
【００４７】
次に、ネットスーパーサーバ１０は、各店舗サーバ２０から送信された在庫情報を、店舗毎に在庫データベース１２ｂに格納する（ステップＳ４）。
【００４８】
なお、在庫管理の一例として、ネットスーパーサーバ１０の在庫情報が０になった場合、実店舗が商品の供給元側に注文を発注したり、ネットスーパーサーバ１０が自動的に商品メーカーサーバ２５に発注の情報を送信したりしてもよい。
【００４９】
（３．２．デザインフォーマットに従った商品情報の配置）
次に、デザインフォーマットに従った商品情報の配置の流れについて、図４〜図８を用いて説明する。
【００５０】
図４は、ネットスーパーサーバ１０、商品メーカーサーバ２５、および、ユーザ端末３０間における情報のやり取りの一例を示すシーケンス図である。図５は、ユーザ端末３０に表示されるショッピングモールサイトのトップウェブページの一例を示す模式図である。図６は、ユーザ端末３０に表示されるショッピングモールサイトの特定店舗におけるトップウェブページの一例を示す模式図である。図７は、デザインフォーマットにより商品情報が表示されたウェブページの一例を示す模式図である。図８は、ユーザにより選択された商品に関して詳細な情報が表示されたウェブページの一例を示す模式図である。
【００５１】
まず、メーカー側におけるデザインフォーマットの作成について説明する。
【００５２】
商品を店舗に供給する側のメーカー等は、ショッピングモールサイトの特定の店舗のウェブページの一部において、自社のどの商品をインターネットで売り出すのか、自社の商品や広告等をどのように並べて表示させるか等のデザインの構想を決める。このデザイン構想では、背景の色又は模様や文字の色はどのようにするのか、文字の大きさをどのようするのか、商品のどのような画像を用いるのか、キャッチフレーズ等の商品の説明をどうするのか、あるラインナップの商品をまとめて売り出すのか等も詳しく決定し、企業のイメージ戦略等に沿ったデザインを立案する。
【００５３】
このデザインの構想に基づき、ＨＴＭＬ等のマークアップ言語等によりデザインフォーマットのファイルを作成する。
【００５４】
次に、デザインフォーマットのファイルが作成されたら、図４に示すように、商品メーカーサーバ２５は、専用棚のデザインフォーマットの情報および商品識別コード等をネットスーパーサーバ１０に送信し、ネットスーパーサーバ１０が受信する（ステップＳ１０）。具体的には、ネットスーパーサーバ１０のシステム制御部１４は、デザインフォーマットのファイルと共に、デザインフォーマットに載せる商品の商品識別コードや、広告情報や、商品の画像データ等を、通信部１１を通して受信して、記憶部１２に記憶する。なお、ネットスーパーサーバ１０は、商品の画像データを予め受信しておいて、商品識別コードに基づき、対応する商品の画像データを商品データベースより読み出し、デザインフォーマットに従い商品の画像データを表示させるようにしてもよい。
【００５５】
このように、ネットスーパーサーバ１０のシステム制御部１４および通信部１１は、総合ウェブサイト上の特定の店舗に関するウェブページにおいて前記特定の店舗で販売する商品の商品情報を配置するためのデザインフォーマットの情報と、前記デザインフォーマットに従い配置される商品に関する商品識別コードとを、商品供給元サーバ装置から受信する受信手段の一例として機能する。また、ネットスーパーサーバ１０のシステム制御部１４および通信部１１は、前記デザインフォーマットに従い配置する広告情報を前記商品供給元サーバ装置から受信する受信手段の一例として機能する。
【００５６】
次に、ユーザがウェブページのリンクが設定された箇所をクリックし、デザインフォーマットにより規定される専用棚の表示が画面に表示されるまでの動作例について説明する。
【００５７】
ユーザは、ユーザ端末３０を用いて、ショッピングモールサイトのトップウェブページにアクセスする。図５に示すように、ショッピングモールサイトのトップウェブページ４０には、各店舗に誘導するリンクを張るためのリンク部４０ａ、４０ｂ、４０ｃ、４０ｄが配置されている。
【００５８】
ユーザは、好きな店舗のＧＵＩ（Graphical User Interface）のボタン（リンク部４０ａ、４０ｂ、４０ｃ、４０ｄ）をクリックし、図６に示すようなショッピングモールサイトの特定店舗におけるトップウェブページ４１にジャンプする。この特定店舗におけるトップウェブページ４１には、ショッピングモールサイトを表す表示部４１ａや、店舗名等の店舗を特定する表示部４１ｂや、店舗で販売している商品のカテゴリーのウェブページにジャンプするための複数のリンク部４１ｃが配置されている。
【００５９】
また、このトップウェブページ４１には、店舗で販売する商品に関する商品情報が商品情報部５０に配置されている。この商品情報部５０には、商品の画像データ部５０ａ、商品の商品名部５０ｂ、商品の価格部等が含まれる。画像データ部５０ａや商品の商品名部５０ｂ等にリンクが設定されていて、商品の詳細情報を示すウェブページにジャンプするようになっている。
【００６０】
また、図６に示すように、リンク部４１ｃが配置される付近に、デザインフォーマットに従って商品情報を表示するウェブページへリンクさせる専用リンク情報を含んだ専用リンク部６０、６１や専用リンク部６５、６６を配置する。この専用リンク部６０、６１、６５、６６は、ＨＴＭＬ等のマークアップ言語のアンカータグにより記述されている。また、専用リンク部６０、６５は、各店舗に商品を供給しているＹ社、Ｘ社の各々の専用リンク部で、リンク部４１ｃと類似した表示形態のＧＵＩのボタンによりウェブページに配置されている。また、専用リンク部６１、６６は、ウェブページに表示されるＹ社やＸ社の広告やキャッチフレーズの画像や文字列にリンクが設定されている。この専用リンク部が設定されたウェブページ４１は、ＨＴＭＬ等のマークアップ言語等のファイルで記述され、ネットスーパーサーバ１０の記憶部１２に店舗コードに関連づけられて格納されていて、ユーザ端末３０からのアクセス要求に基づき呼び出される。
【００６１】
ネットスーパーサーバ１０のシステム制御部１４は、デザインフォーマットに従って商品情報を表示するウェブページへリンクさせる専用リンク情報を、総合ウェブサイトの所定のウェブページにおける所定の位置に配置する専用リンク配置手段の一例として機能する。
【００６２】
次に、これらの専用リンク部６０、６１、６５、６６が配置された箇所がクリックされると、専用棚のデザインフォーマットに従って商品情報を表示するウェブページへジャンプするための専用棚表示要求が、ユーザ端末３０からネットスーパーサーバ１０に送信される。
【００６３】
そしてネットスーパーサーバ１０は、特定店舗における商品の供給元の専用棚表示要求をユーザ端末３０から受信する（ステップＳ１１）。なお、専用棚表示要求の情報の中には、店舗コード等の特定店舗を規定するための情報が含まれていて、ＵＲＬ（Uniform Resource Locator）のアドレスに店舗の情報を含ませてもよい。
【００６４】
次に、ネットスーパーサーバ１０は、専用棚に表示する商品の商品識別コードに基づき在庫を確認する（ステップＳ１２）。具体的に、ネットスーパーサーバ１０のシステム制御部１４が、ユーザ端末３０からの専用棚表示要求があった店舗の店舗コードと、商品メーカーサーバ２５から受信した商品識別コードとに基づき、在庫データベース１２ｂから、店舗コードに対応した店舗の商品識別コードに対応した商品の在庫の有無を判定して在庫状況を把握する。このように、ネットスーパーサーバ１０のシステム制御部１４は、端末装置（３０）からの求めに応じ、端末装置（３０）で指定された店舗について、受信手段で受信した商品識別コードを、在庫情報格納手段（１２ｂ）に格納されている在庫情報と照合して、商品識別コードに対応する商品の在庫の有無を判定する在庫状況判定手段の一例として機能する。
【００６５】
次に、ネットスーパーサーバ１０は、在庫あり商品の商品情報を取得する（ステップＳ１３）。具体的には、ネットスーパーサーバ１０のシステム制御部１４が、デザインフォーマットにより配置される商品のうち、在庫ありと判定された商品の商品情報を、商品識別コードに基づき商品データベース１２ａから取得する。このように、ネットスーパーサーバ１０のシステム制御部１４が、受信した商品識別コードの商品の商品情報を、商品情報格納手段（１２ｂ）から取得する商品情報取得手段の一例として機能する。また、ネットスーパーサーバ１０が、在庫ありと判定された商品の商品情報を商品情報格納手段（１２ｂ）から取得する商品情報取得手段の一例として機能する。
【００６６】
次に、ネットスーパーサーバ１０は、デザインフォーマットに商品情報を配置する（ステップＳ１４）。具体的には、ネットスーパーサーバ１０のシステム制御部１４が、図７に示すように、ウェブページ４２のデザインフォーマット部７０に商品情報部５５や、広告情報部５６を配置されるように、ＨＴＭＬ等のマークアップ言語等で記述されたファイルを生成する。商品情報部５５は、画像データが表示されたリンク部５５ａ、商品名が表示されたリンク部５５ｂ等により構成される。デザインフォーマット部７０は、個々の商品情報部５５の表示枠と、広告情報部５６の表示枠を有する。ウェブページ４２において、デザインフォーマット部７０が表示される表示枠が、総合ウェブサイト側や店舗側で予め決められている。商品の供給元側では、デザインフォーマット部７０の中で自由にデザインをアレンジする。なお、在庫がない商品に関しては、予め用意した在庫無しの画像データや”画像なし”の表示をさせる。また在庫が入る見込みや代わりの商品を表示させてもよい。
【００６７】
このように、ネットスーパーサーバ１０のシステム制御部１４は、取得された商品情報を、デザインフォーマットに従い所定の場所に配置する商品情報配置手段の一例として機能する。また、ネットスーパーサーバ１０のシステム制御部１４は、広告情報を、デザインフォーマットに従い配置する商品情報配置手段の一例として機能する。また、ネットスーパーサーバ１０のシステム制御部１４は、デザインフォーマットで予め指定された場所に商品情報を配置する商品情報配置手段の一例として機能する。なお、各商品情報を配置する場所を予め指定しなくても、商品供給元側で商品情報を表示される表示枠を決めておき、総合ウェブサイト側や店舗側が、在庫状況等に応じて、商品情報を表示枠に入れるようにしてもよい。
【００６８】
次に、ネットスーパーサーバ１０は、商品情報付きのデザインフォーマットをユーザ端末３０に送信する（ステップＳ１５）。具体的には、ネットスーパーサーバ１０のシステム制御部１４が、通信部１１を通して、商品情報部５５や広告情報部５６が配置されたデザインフォーマット部７０を含んだウェブページ４２のＨＴＭＬ等のファイルをユーザ端末３０に送信する。そして、ユーザ端末３０の表示部３１の画面にウェブページ４２が表示される。このように、ネットスーパーサーバ１０の通信部１１およびシステム制御部１４は、商品情報が配置されたデザインフォーマットの情報を前記端末装置に送信する送信手段の一例として機能する。
【００６９】
次に、ユーザが関心を持った商品のリンク部５５ａやリンク部５５ｂをクリックすると、図８に示すようなウェブページ４３にジャンプし、商品の詳細情報が記載された商品詳細情報部７５がユーザ端末３０の表示部３１の画面に表示される。
【００７０】
（３．３．店舗に対する報酬処理）
次に、ユーザがデザインフォーマット部７０を見て、商品を購入した場合、特定の店舗に対する報酬処理の動作例について説明する。
図９は、ネットスーパーサーバ１０による店舗に対する報酬算出の動作例を示すフローチャートである。
【００７１】
ネットスーパーサーバ１０は、専用リンク部６０等がクリックされたことによる専用棚表示要求を受信した後（ステップＳ２０）、セッション管理を開始する（ステップＳ２１）。具体的に、ネットスーパーサーバ１０のシステム制御部１４は、セッションＩＤを生成し、セッション管理を行うためのセッション情報を、セッションＩＤに対応付けて生成する。このセッション管理により、ネットスーパーサーバ１０は、特定店舗のウェブページの専用リンク部６０等をクリックしたユーザの商品の購入状況を監視・追跡し、特定店舗に対して報酬を付与するトラッキング処理を行う。
【００７２】
なお、パーソナルコンピュータのユーザ端末３０がアクセスしてきた場合には、ネットスーパーサーバ１０は、主としてCookieを用いてトラッキング処理を行う。このCookieに特定店舗の店舗ＩＤの情報等を書き込んでおく。また、携帯電話機等（携帯端末）のユーザ端末３０がアクセスしてきた場合には、ネットスーパーサーバ１０は、ＵＲＬを書き換えて操作するＵＲＬリライトやリダイレクト等によるセッション管理を用いてトラッキング処理を行う。ネットスーパーサーバ１０のシステム制御部１４は、例えば、デザインフォーマットにより商品情報が表示されたウェブページの携帯端末用ＵＲＬとして、店舗ＩＤの情報を含む携帯端末用ＵＲＬを生成してセッション管理を行う。
【００７３】
ここで、セッション情報には、例えば、生成されたセッションＩＤ、生成日時が設定されるとともに、買い物かごに入れられた商品のＩＤ、購入者のＩＤ、店舗ＩＤ、その他の情報等が設定される。特に、携帯電話機等のユーザ端末３０がアクセスしてきた場合には、セッション情報に、ユーザ端末３０からの各アクセスを識別するためのアフィリエイト用のキーも設定される。ネットスーパーサーバ１０は、このアフィリエイト用のキーに対応付けて、アフィリエイト用のキー管理情報（生成されたアフィリエイト用のキー、携帯用アフィリエイトＵＲＬから取得された店舗ＩＤ等）を生成する。
【００７４】
なお、ユーザ端末３０の種類判別は、アクセスリクエストのＩＰヘッダに設定されている送信元ＩＰアドレスに基づいてユーザ端末３０がパーソナルコンピュータ等であるか携帯電話機等であるかを判別する。具体的には、携帯電話機がデータ通信を行う場合には、まず、移動体通信網に接続され、インターネット上のサーバ装置等との通信を行う際には、ゲートウェイサーバ等により中継が行われる。このゲートウェイサーバ等には、移動体通信事業者毎に予め固有のＩＰアドレスが割り当てられていることから、受信されたアクセスリクエストのＩＰヘッダに設定されている送信元ＩＰアドレスが移動体通信事業者に割り当てられているか否かを判断することにより、ユーザ端末３０がパーソナルコンピュータ等であるか携帯電話機等であるかを判別することが可能である。
【００７５】
次に、ネットスーパーサーバ１０のシステム制御部１４は、通信部１１を通して、購入リクエストを受信する（ステップＳ２２）。具体的には、ユーザが、図７に示すように、デザインフォーマット部７０を見て、商品情報部５５を選択し、図８に示すように、商品詳細情報部７５の購入導入部７５ａを選択して画面上の買い物かごに入れ、購入決定ボタン等を選択すると、ユーザ端末３０は、購入リクエストをネットスーパーサーバ１０に送信し、ネットスーパーサーバ１０のシステム制御部１４は、通信部１１を通して購入リクエストを受信する。
【００７６】
購入リクエストを受信した際、ユーザ端末３０とネットスーパーサーバ１０との間でログイン処理が行われ、認証等が行われる。なお、ログイン処理は、購入時の前、例えば、ネットスーパーサーバ１０のウェブページにアクセスした際に行ってもよい。
【００７７】
次に、図３や図９に示すように、ネットスーパーサーバ１０は、セッション情報に基づき購入手続きの処理を行う（ステップＳ２３）。具体的には、パスワード認証が成功すると、ネットスーパーサーバ１０のシステム制御部１４は、買い物かごに入れられた商品としてセッション情報に設定された商品ＩＤに対応する商品情報や店舗情報等を商品データベース１２ａや店舗データベース等から取得したり、会員データベースから配送先等のユーザ情報を取得したりする。これら取得した情報に基づき、ネットスーパーサーバ１０は、ユーザの購入情報等を生成する。
【００７８】
次に、ネットスーパーサーバ１０は、購入情報を店舗サーバ２０に送信する（ステップＳ２４）。具体的には、ネットスーパーサーバ１０のシステム制御部１４は、生成したユーザの購入情報を、店舗ＩＤに基づき、デザインフォーマットにより商品情報が表示されたウェブページの店舗の店舗サーバ２０に、通信部１１を通して送信する。そして、この店舗側でユーザに商品を配送する。
【００７９】
次に、ネットスーパーサーバ１０は、報酬処理をする（ステップＳ２５）。具体的には、ユーザ端末３０がパーソナルコンピュータ等の場合、ネットスーパーサーバ１０のシステム制御部１４は、アフィリエイト用のCookieの店舗ＩＤに基づき、成果報酬を算出する。また、ユーザ端末３０が携帯電話機等の場合、ネットスーパーサーバ１０は、セッション情報に設定されたアフィリエイト用のキーの管理情報に基づいて、店舗に対する成果報酬を算出する。そして、セッション管理を終了して、トラッキング処理を終了する。
【００８０】
次に、ネットスーパーサーバ１０のシステム制御部１４は、通信部１１を通して報酬情報を店舗サーバ２０に送信する（ステップＳ２６）。
【００８１】
このようにネットスーパーサーバ１０のシステム制御部１４は、特定の店舗で商品が購入された場合に、商品の購入を申し込むウェブページのリンク元のウェブページを特定するリンク特定手段の一例として機能する。また、ネットスーパーサーバ１０のシステム制御部１４は、リンク元のウェブページが、特定の店舗のウェブページで、かつ、購入された商品の商品情報をデザインフォーマットに従い配置したウェブページである場合に、特定の店舗に対する報酬を算出する報酬算出手段の一例として機能する。
【００８２】
以上、本実施形態によれば、総合ウェブサイト上の特定の店舗に関するウェブページ４１において特定の店舗で販売する商品の商品情報を配置するためのデザインフォーマットの情報と、デザインフォーマットに従い配置される商品に関する商品識別コードとを、商品を店舗に供給する供給元の商品メーカーサーバ２５から受信し、受信した商品識別コードに対応する商品の商品情報を、デザインフォーマットに従い所定の場所に配置し、商品情報が配置されたデザインフォーマットの情報を端末装置に送信するように構成したので、商品の供給元が自社商品のイメージを管理できる。また、商品の供給元が、自社や自社商品のブランドイメージを、デザインフォーマットにより思うようにアピールすることができる。また、商品の供給元が、自社や自社商品のブランドイメージを変えたいときに、デザインフォーマットを適宜変えることにより、ネットスーパーサーバ１０が、変更されたデザインフォーマットを受け付け、デザインフォーマットに従い、容易に新しいイメージを表現させたり管理したりすることができる。また、従来のネットスーパーでは、商品の属性毎に単に並べて配置されているだけだったが、各メーカー等は自社のブランドイメージを維持しながら、商品を販売することができる。
【００８３】
また、ネットスーパーサーバ１０が、ユーザ端末３０からの求めに応じ、ユーザ端末３０で指定された店舗について、受信した商品識別コードを、在庫データベース１２ｂに格納されている在庫情報と照合して、商品識別コードに対応する商品の在庫の有無を判定し、在庫ありと判定された商品の商品情報を商品データベース１２ａから取得し、在庫状況判定の結果に基づき商品情報を配置する場合、在庫状況に応じて、デザインフォーマットに載せる商品情報を変えることができる。
【００８４】
また、ネットスーパーサーバ１０が、デザインフォーマットに従い配置する広告情報を商品メーカーサーバ２５から受信し、広告情報を、デザインフォーマットに従い配置する場合、商品の供給元のメーカー等は、広告入稿の手間を掛けることなく広告を作成することができる。例えば、新製品を納入するタイミングで、商品の供給元のメーカー等は、同時に新製品である旨の広告を容易に打つことができる。
【００８５】
また、ネットスーパーサーバ１０が、デザインフォーマットで予め指定された場所に商品情報を配置する場合、商品の供給元側で、商品情報の配置場所もデザインフォーマットで指定でき、デザインフォーマット部７０におけるデザインを完全にコーディネイトできる。
【００８６】
また、ネットスーパーサーバ１０が、商品データベース１２ａにおいて、商品名および商品の画像の情報を格納し、デザインフォーマットに従い、各商品の商品名、商品の画像を配置する場合、商品の供給元側が用意した商品の画像等を受信し、それらを配置させて、デザインフォーマット部７０に、商品の供給元側が考えるイメージに沿った、ウェブデザインを構築することができる。なお、商品の価格に関しては、商品の供給元側の希望価格や、オープン価格等を配置する。
【００８７】
また、ネットスーパーサーバ１０が、デザインフォーマットに従って商品情報を表示するウェブページへリンクさせる専用リンク情報を、総合ウェブサイトの所定のウェブページにおける所定の位置に配置する場合、デザインフォーマットに従って商品情報が表示されたウェブページへユーザを容易に導くことができる。
【００８８】
また、ネットスーパーサーバ１０が、商品情報に基づき、総合ウェブサイトの所定のウェブページにおける特定の位置に専用リンク部６２を配置する場合、商品に関連して専用リンク部６２が表示されユーザの目に留まりやすくなり、ユーザをデザインフォーマットで規定されたウェブページに導きやすくなる。さらに、このような位置に自動的に専用リンク部６２を配置が可能で、設定の手間が省ける。
【００８９】
また、ネットスーパーサーバ１０が、特定の店舗で商品が購入された場合に、商品の購入を申し込むウェブページのリンク元のウェブページを特定し、リンク元のウェブページが、特定の店舗のウェブページで、かつ、購入された商品の商品情報をデザインフォーマットに従い配置したウェブページである場合に、特定の店舗に対する報酬を算出する場合、商品の供給元、ネットスーパーサーバ１０を管理するショッピングモールサイト、及び店舗はそれぞれ次のメリットを得ることができる。すなわち、商品の供給元はブランド維持を図ることができ、ネットスーパーサーバ１０を管理するショッピングモールサイト側では専用棚配置による商品の供給元側からの広告料収入を得ることができ、店舗側は、アフィリエィトフィー収入としてや、ショッピングモールサイト側が得た広告料収入からの配分として利益を得ることができる。
【００９０】
なお、デザインフォーマット部７０のように商品のシリーズで商品を並べる他に、図１０に示すように、デザインフォーマット部７６において、ある商品の供給元側の企業が生産している商品を一覧的に表示させてもよい。デザインフォーマット部７６は、商品情報部５７や広告情報部５８を有し、このように商品の供給元側の販売戦略に従いデザインフォーマットを自由に設定できる。
【００９１】
また、デザインフォーマット部７６等の枠が表示されるカテゴリー”洋菓子”に対応して、図１０に示すように、ウェブページ４２Ｂにおける専用リンク部６７の配置を決めてもよい。例えば、専用リンク部６７を、商品のグループが箇条書きされた目次部８０における”お菓子”のグループの位置に設置する。
【００９２】
また、デザインフォーマット部７６等の枠の中に表示される商品情報に関連して、図１０に示すように、ウェブページ４２Ｂにおける専用リンク部６８の配置を決めてもよい。例えば、商品の商品名（”ビスケット”）の商品名部５７ｂに応じて、専用リンク部６８を、商品のグループが箇条書きされた目次部８０における”ビスケット”のグループの位置に設置する。
【００９３】
さらに、図１１に示すように、商品検索をして、検索結果に基づき、ウェブページ４４における専用リンク部６２の配置を決めてもよい。例えば、商品情報の一覧を表示された検索結果表示部８１における左上の商品情報（”チョコ”の商品情報）の商品情報部５０に対応して、目次部８２における”チョコ”のグループの位置に、”Ｙチョコ”の専用リンク部６２を設置する。あるいは、図１１に示すように、Ｙ社製品のうちの何れか（例えば、図１１の商品情報部５０で指定されるチョコ）について商品データベース１２ａにおいてフラグを設定し、フラグが設定されている商品が属する、当該商品の１つ上のカテゴリー（例えば、「菓子」→「洋菓子」→「チョコ」）と並列に”Ｙチョコ”の専用リンク部６２を自動で配置してもよい。このように、ネットスーパーサーバ１０のシステム制御部１４は、特定のメーカーの何れかの商品の商品情報に基づき、総合ウェブサイトの所定のウェブページにおける特定の位置に前記専用リンク情報を配置する専用リンク配置手段の一例として機能する。
【００９４】
これらのように、ネットスーパーサーバ１０のシステム制御部１４が、特定の商品の商品情報に基づき、自動で総合ウェブサイトの所定のウェブページにおける特定の位置に専用リンク部６２、６７、６８を配置する機能を、自動露出先選択手段ということができる。この場合、商品に関連して、自動でユーザをデザインフォーマットで規定されたウェブページに導きやすくなる。
【００９５】
また、図５のウェブページ４０において、ユーザがリンク部４０ｂをクリックして選択した場合、図１２に示すように、総合ウェブサイトにおける他の店舗のウェブページ４１Ｂが表示される。このウェブページ４１Ｂは、店舗で販売している商品のカテゴリーのウェブページにジャンプするための複数のリンク部の表示形態と類似した専用リンク部６０Ｂ、６５Ｂと、広告情報が記載された専用リンク部６１Ｂと、ウェブページ４１Ｂの下方に配置された専用リンク部６３、６９とを有する。
【００９６】
また、あるネットスーパーの店舗が、実店舗として複数の支店を有する場合、支店毎に在庫管理をしてもよい。さらに支店毎にインターネット上の店舗を設けてもよく、この支店の規模により在庫できる数量が異なったり、実際にある在庫が異なったりする。またユーザは、ログインした時点でユーザの郵便番号等のユーザ情報から、そのユーザに配達可能な店舗の支店のサイトに入ってもよい。そこで、この支店の取扱商品や、セール品や、在庫状況等を商品データベース１２ａから読み込んで表示してもよい。また、複数の支店を有するネットスーパーの店舗ウェブページ上において、ある支店Ａでは在庫があって、他の支店Ｂで在庫がない場合、ユーザが閲覧しているウェブページには、支店Ａの在庫状況として、在庫ありとして表示させてもよい。なお、ネットスーパーでは、１つのサイト（各店舗又は各支店）で、多くの商品であって且つ比較的小額の商品を扱う。さらに、ネットスーパーでは、購入者は一回の買い物で複数の商品を購入することも比較的多い。
【００９７】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【００９８】
したがって、例えば、総合ウェブサイトが複数の異なる店舗で構成されるサイトである場合に限られず、例えば総合ウェブサイトが１つの店舗で構成されるサイトであって、ユーザに商品をネットワーク上で販売する店舗がその１つの店舗の支店である場合も含む。
【符号の説明】
【００９９】
３：ネットワーク
１０：ネットスーパーサーバ（サーバ装置）
１２ａ：商品データベース（商品情報格納手段）
１２ｂ：在庫データベース（在庫情報格納手段）
２５：商品メーカーサーバ（商品供給元サーバ装置）
３０：ユーザ端末（端末装置）
４１、４２、４３、４４、４１Ｂ、４２Ｂ：ウェブページ
５０、５５、：商品情報部（商品情報）
５６、５８：広告情報部（広告情報）
６０、６１、６２、６３、６５、６６、６７、６８、６９、６０Ｂ、６１Ｂ、６５Ｂ：専用リンク部（専用リンク情報）
７５、７６：デザインフォーマット部（デザインフォーマット）
【図１】
2011150570.tif 000003
【図２】
2011150570.tif 000004
【図３】
2011150570.tif 000005
【図４】
2011150570.tif 000006
【図５】
2011150570.tif 000007
【図６】
2011150570.tif 000008
【図７】
2011150570.tif 000009
【図８】
2011150570.tif 000010
【図９】
2011150570.tif 000011
【図１０】
2011150570.tif 000012
【図１１】
2011150570.tif 000013
【図１２】
2011150570.tif 000014